(57)【要約】【課題】  撮影した静止画及び動画を確実に記録メディアに記録できるようにする。【解決手段】  電子カメラ装置１００に静止画及び動画像記録用に適用される記録メディア１１２に対して、設定メニューによって静止画用及び動画用にそれぞれ記録領域を確保して、それぞれの記録容量を管理データとしてメモリに記憶し、静止画及び動画を撮影する度に、その管理データを、撮影によって記録に供される記録容量によって更新し、さらにその管理データに基づいて、撮影実績と、撮影可能な静止画枚数と動画撮影時間を求めて表示すると共に、撮影を管理する。【選択図】  図１４
2005318261.tif 000002
【特許請求の範囲】
【請求項１】
光学像を電気信号に変換して、この電気信号に基づいて静止画像信号及び動画像信号を生成する撮影手段と、
記録メディアに対して、前記静止画像信号を記録する領域と、前記動画像信号を記録する領域を確保し、各記録領域の記録可能容量に基づく管理データをメモリに登録する管理データ登録手段と、
前記撮影手段で生成された静止画像信号及び動画像信号を、前記記録メディアの静止画用記録領域及び動画像記録領域に記録する記録手段と、
前記記録手段による記録実績に基づいて、前記管理データを更新すると共に、更新した管理データに基づき前記記録手段を制御する制御と、
を具備したことを特徴とする電子カメラ装置。
【請求項２】
前記管理データは、前記静止画像信号記録用及び動画像信号記録用にそれぞれ確保された前記記録メディアの記録容量値そのものであることを特徴とする請求項１に記載の電子カメラ装置。
【請求項３】
前記管理データは、前記静止画像信号記録用及び動画像信号記録用にそれぞれ確保された前記記録メディアの記録容量の比であることを特徴とする請求項１に記載の電子カメラ装置。
【請求項４】
前記管理データは、前記静止画像信号記録用に確保された前記記録メディアの記録容量を静止画として記録可能な枚数に換算したもの及び動画像信号記録用に確保された前記記録メディアの記録容量を動画として記録可能な時間に換算したものであることを特徴とする請求項１に記載の電子カメラ装置。
【請求項５】
光学像を電気信号に変換して、この電気信号に基づいて静止画像信号または動画像信号を生成するステップと、
記録メディアに対して、前記静止画像信号を記録する領域と、前記動画像信号を記録する領域を確保するステップと、
前記各記録領域の記録可能容量に基づく管理データをメモリに登録するステップと、
前記生成された静止画像信号を前記記録メディアの静止画用記録領域に記録し、前記生成された動画像信号を前記記録メディアの動画用記録領域に記録するステップと、
前記静止画像信号及び動画像信号の記録実績に基づいて、前記管理データを更新すると共に、更新した管理データに基づき前記静止画像信号及び動画像信号の前記記録メディアへの記録を制御するステップと、
を具備したことを特徴とする電子カメラ装置のデータ管理方法。
【請求項６】
前記管理データは、前記静止画像信号記録用及び動画像信号記録用にそれぞれ確保された前記記録メディアの記録容量値そのものであることを特徴とする請求項５に記載の電子カメラ装置の記録管理方法。
【請求項７】
前記管理データは、前記静止画像信号記録用及び動画像信号記録用にそれぞれ確保された前記記録メディアの記録容量の比であることを特徴とする請求項５に記載の電子カメラ装置の記録管理方法。
【請求項８】
前記管理データは、前記静止画像信号記録用に確保された前記記録メディアの記録容量を静止画として記録可能な枚数に換算したもの及び動画像信号記録用に確保された前記記録メディアの記録容量を動画として記録可能な時間に換算したものであることを特徴とする請求項５に記載の電子カメラ装置の記録管理方法。
【発明の詳細な説明】
【技術分野】
【０００１】
本発明は、撮影した静止画像あるいは動画像を記録メディアに記録する電子カメラ装置に関し、特に記録メディアの記録容量を監視して、撮影が滞りなく実行できるようにした電子カメラ装置及び電子カメラ装置の記録管理方法に関する。
【背景技術】
【０００２】
撮影素子として、ＣＣＤ（Charge Coupled Device）等の個体撮影素子を用い、撮影した画像データあるいは音声データをフラッシュメモリ等の不揮発性メモリカードを記録メディアとして記録するようにした電子カメラ装置が市場に登場して久しいが、撮影素子の高解像度化、記録メディアの大容量化が進み、最近では、静止画像データだけでなく、動画像データ、音声データをも記録メディアに記録させる機能を持った製品も市場に提供されつつある。
【０００３】
記録メディアとして例えば、５１２ＭＢの記録容量を持ったメモリカードを用いた場合に、１６００×１２００ピクセルの画素数の静止画を記録しようとすると、例えば高画質モードでは、およそ５００枚程度記録可能で、標準モードでは１０００枚程度記録可能である。
【０００４】
また、動画では、３２０×２４０ピクセルの画素数で、１０フレーム／秒で撮影する場合およそ４５分程度の記録が可能であり、３０フレーム／秒ではおよそ１５分の記録が可能である。
【０００５】
このように、記録枚数、記録時間に制限があるため、どの程度の撮影（記録）を行ったのかという実績を監視しておかないと、記録メディアの記録可能容量がなくなってしまって、新たな撮影に支障を来たすということも起こり得る。
【０００６】
特に、動画を撮影する場合には、注意して時間を管理しないと、いざ静止画を撮影しようとしても、記録容量がなくて撮影ができないという事態に陥り易い。また逆に、静止画を撮影し過ぎて動画が撮影できないということも起こる。
【０００７】
このような問題を解決しようという試みもなされており、例えば、特許文献１には、記録媒体の残容量を静止画と、動画で予め設定した割合で割り振るようにした提案が開示されている。すなわち、例えば、残容量の半分ずつを静止画と動画に割り振り、撮影が実行された後に、残容量から演算によって、静止画撮影可能枚数と動画撮影可能時間を求めて、これを表示するようにしている。
【０００８】
この提案においては、撮影を実行した都度、静止画撮影可能枚数と動画撮影可能時間が新たに表示されるため、ユーザにとってそれなりに、使い勝手のよいカメラとなるものであるが、残容量から、演算よって、静止画撮影可能枚数と動画撮影可能時間を求めているため、意図するかしないかに関わりなく、記録媒体を静止画の撮影だけ、あるいは、動画の撮影だけに費やすという使い方も可能であり、意に反して、そのような撮影をしてしまったら、当然ながら動画あるいは静止画を撮影することができなくなる。
【０００９】
これを避けるためには、表示される静止画撮影可能枚数と動画撮影可能時間を常に監視している必要があり、あまり使い勝手がよいとはいえない。
【特許文献１】特開２００１−６９４４２号公報
【発明の開示】
【発明が解決しようとする課題】
【００１０】
以上のように、従来、撮影した静止画像あるいは動画像を記録メディアに記録するようにした電子カメラ装置において、記録メディアの容量を適切に管理して、静止画像及び動画像を確実に記録できるようにした装置の実現が強く要望されていた。
【００１１】
本発明は、以上の点に鑑みてなされたものであり、予め記録メディアを静止画用の記録領域と、動画用の記録領域に分けておくことで、静止画像及び動画像を確実に記録できるようにした電子カメラ装置を提供することを目的とする。
【課題を解決するための手段】
【００１２】
本発明の電子カメラ装置は、光学像を電気信号に変換して、この電気信号に基づいて静止画像信号及び動画像信号を生成する撮影手段と、記録メディアに対して、前記静止画像信号を記録する領域と、前記動画像信号を記録する領域を確保し、各記録領域の記録可能容量に基づく管理データをメモリに登録する管理データ登録手段と、前記撮影手段で生成された静止画像信号及び動画像信号を、前記記録メディアの静止画用記録領域及び動画像記録領域に記録する記録手段と、前記記録手段による記録実績に基づいて、前記管理データを更新すると共に、更新した管理データに基づき前記記録手段を制御する制御と、を具備したことを特徴とする。
【００１３】
本発明の電子カメラ装置の記録管理方法は、光学像を電気信号に変換して、この電気信号に基づいて静止画像信号または動画像信号を生成するステップと、記録メディアに対して、前記静止画像信号を記録する領域と、前記動画像信号を記録する領域を確保するステップと、前記各記録領域の記録可能容量に基づく管理データをメモリに登録するステップと、前記生成された静止画像信号を前記記録メディアの静止画用記録領域に記録し、前記生成された動画像信号を前記記録メディアの動画用記録領域に記録するステップと、前記静止画像信号及び動画像信号の記録実績に基づいて、前記管理データを更新すると共に、更新した管理データに基づき前記静止画像信号及び動画像信号の前記記録メディアへの記録を制御するステップと、を具備したことを特徴とする。
【発明の効果】
【００１４】
本発明によれば、記録メディアに、静止画像と動画像を確実に記録できるものである。
【発明を実施するための最良の形態】
【００１５】
以下、図面を参照しながら本発明の電子カメラ装置の一実施の形態を詳細に説明する。  
図１は、本発明の電子カメラ装置１００の構成を示す回路ブロック図である。  
図１において、１０１はレンズを有する光学系であり、ＣＣＤ（Charge Coupled Device）を撮像素子とするＣＣＤ撮像部１０２の光電変換面に光学像を結像する。ＣＣＤ撮像部１０２は、光電変換面に結像された光学像を電気信号に変換して撮像信号として出力する。Ａ／Ｄ（Analog Digital）変換部１０３は、ＣＣＤ撮像部１０２から出力される撮像信号をデジタル信号に変換し、ＣＣＤ信号処理部１０４に導出する。ＣＣＤ信号処理部１０４は、Ａ／Ｄ変換部１０３からの撮像信号に対して、ホワイトバランス調整処理、ガンマ補正処理、補間処理、色変換処理等の処理を施して画像信号として出力する。
【００１６】
ＣＣＤ信号処理部１０４から出力される画像信号は、メモリコントローラ１０５に供給され、メモリコントローラ１０５に接続されているワークメモリ１０６に一旦保存される。ワークメモリ１０６に保存された画像信号は、メモリコントローラ１０５を介して画像処理部１０７に供給されてここで、例えば標準テレビジョン信号等の映像信号に変換されて、表示部１０８で表示される。
【００１７】
表示部１０８は、例えば数インチの大きさのＬＣＤ（Liquid Crystal Display）であり、以上説明した処理によって、ＣＣＤ撮像部１０２で撮影された画像をモニタすることができる。また、後述する項目設定のためのメニュー表示も行う。
【００１８】
さらに、メモリコントローラ１０５には、画像圧縮／伸張処理部１０９が接続されており、この画像圧縮／伸張処理部１０９は、ワークメモリ１０６に保存されたＣＣＤ信号処理部１０４からの画像信号を例えばＪＰＥＧ（Joint Photographic Experts Group）あるいはＭＰＥＧ（Moving Picture Experts Group）規格に基づいて圧縮（エンコード）処理を施す。あるいは、後述する記録メディアから再生された圧縮データを、伸張（デコード）する処理を施す。
【００１９】
画像圧縮／伸張処理部１０９はその処理を実行する際に、メモリコントローラ１０５を利用するものであり、メモリコントローラ１０５はその場合、ＤＳＰ（Digital Signal Processor）として機能する。画像信号の圧縮／伸張処理を実行するために、画像圧縮／伸張処理部１０９及びメモリコントローラ１０５はＣＰＵ（Central Processing Unit）１１０によって制御される。
【００２０】
ＣＰＵ１１０は、電子カメラ装置１００全体の動作、機能の管理を行なうものであり、画像の撮像及び前述の画像圧縮／伸張を含む画像信号の処理を制御すると共に、後述する記録メディアへのデータの記録再生処理を制御し、音声信号処理を制御し、またユーザの操作に基づく処理を制御し、さらにＧＵＩ（Graphical User Interface）形式のＯＳＤ（On Screen Display）信号を生成して表示部１０８に表示させための制御も行う。
【００２１】
このため、ＣＰＵ１１０は、メモリコントローラ１０５及び画像圧縮／伸張処理部１０９の他、光学系１０１、ＣＣＤ撮像部１０２、ＣＣＤ信号処理部１０４に接続されている。
【００２２】
光学系１０１については、ＣＰＵ１１０によって、例えば光学ズーム倍率の調整、絞り調整等が行われ、ＣＣＤ撮像部１０２に対しては、電子シャッタ駆動制御、ＣＣＤ駆動制御等が実行され、ＣＣＤ信号処理部１０４については、自動ホワイトバランス調整、色変換等の制御が行なわれる。
【００２３】
ＣＰＵ１１０は、さらに、記録メディアＩ／Ｆ（Interface）１１１を介してフラッシュメモリ等で構成される記録メディア１１２に接続され、記録メディア１１２に対するデータの書き込み、読み出しを制御する。
【００２４】
記録メディア１１２は、例えば、電子カメラ装置１００に対して着脱自在に構成されたリムーバルメディアであり、ＣＰＵ１１０の制御の下、例えばＤＣＦ（Design rule for Camera File system）に準じたファイルシステムで管理されるデジタルカメラ用画像ファイルフォーマット規格であるＥｘｉｆ（Exchangeable Image File Format）に基づくフォーマットで、データをファイルとして記録し、かつ再生する。
【００２５】
さらにＣＰＵ１１０は、音声入出力処理部１１３を介してマイク１１４とスピーカ１１５が接続され、マイク１１４でピックアップされた音声データの記録メディア１１２への書き込みと、記録メディア１１２から再生された音声データのスピーカ１１５からの再生を制御する。
【００２６】
音声入出力処理部１１３は、ＣＰＵ１１０の制御の下、マイクからの音声信号を一定レベルに制御する自動利得制御回路と、レベル制御された音声信号をデジタル信号に変換する変換器と、記録メディア１１２から再生された音声データに対して音量調整等の処理を施する利得調整回路と、デジタル信号をアナログ信号に変換する変換器と、スピーカ１１４を駆動するための音声出力回路等を含む。
【００２７】
さらにＣＰＵ１１０には、ユーザが操作する複数の操作ボタンで構成される操作部１１６が接続されている。操作ボタンとしては、シャッターを駆動するためのシャツターボタン、静止画を撮影するのか動画を撮影するのか等撮影のモードを切換えるモード切換えボタン、設定メニューを表示させるためのメニューボタン、記録した画像データを再生する再生ボタン、カーソル移動、項目選択等に適用される十字ボタン等を含む。
【００２８】
ＣＰＵ１１０の以上の処理は、所定のプログラムに基づいて実行されるものであり、そのプログラムが保存されたメモリ１１７がＣＰＵ１１０に接続されている。メモリ１１７は、処理を実行させるためのプログラム及びＯＳＤ信号生成のための文字、記号等のデータが保存されたＲＯＭ（Read Only Memory）と、ワークメモリとしてのＲＡＭ（Random Access Memory）とさらに設定データ等を記憶するための不揮発性メモリを含む。
【００２９】
以上のように構成される電子カメラ装置１００の動作について以下説明する。
【００３０】
ユーザは、まず最初に記録メディア１１２に対して、その記録領域を静止画用及び動画用に分けるための作業をする。
【００３１】
すなわち、操作部１１６の所定のボタンを操作して、図２に示す記録メディア容量管理メニューを表示部１０８に表示させる。
【００３２】
このメニューは、ＣＰＵ１１０によってＯＳＤ信号として生成されて、メモリコントローラ１０５、画像表示装置１０７を介して表示部１０８に表示される。
【００３３】
図２に示すように、表示部１０８の画面２０１には、記録メディア容量管理メニューとして、例えば４つの選択項目が表示されている。すなわち、「記録可能容量設定」２０２と、「記録可能容量比設定」２０３と、「静止画記録枚数予約設定」２０４と、「動画記録時間予約設定」２０５である。
【００３４】
「記録可能容量設定」２０２は、静止画あるいは動画用として確保したい記録容量数を直接入力するものであり、いずれか一方の画像用の記録容量の数字を入力すれば、その残りが他方用に設定される。
【００３５】
「記録可能容量比設定」２０３は、記録メディア１１２の全記録容量に対する、静止画あるいは動画用として確保したい記録容量の比を百分率で入力するものであり、例えば静止画用として２０％を確保すべく入力したとすると動画用は８０％に設定される。
【００３６】
「静止画記録枚数予約設定」２０４は、静止画として記録したい枚数を入力するもので、ＣＰＵ１１０は、静止画１枚あたりのデータ量から、必要な記録容量を算出して確保し、残りを動画用に割り当てる。
【００３７】
「動画記録時間予約設定」２０５は、動画として記録したい時間を入力するもので、ＣＰＵ１１０は、動画の単位時間（分）あたりのデータ量から必要な記録容量を算出して確保し、残りを動画用に割り当てる。
【００３８】
図２において、斜線でカーソル２０６を示し、各設定項目から所望の項目を選択する場合には、例えば操作部１１６の十字ボタンでカーソル２０６を選択したい項目に移動して、決定ボタンを押せばよい。
【００３９】
例えば、「記録可能容量設定」２０２が選択されたとすると、ＣＰＵ１１０は、図３に示す画面３０１を表示部１０８に表示させる。すなわち、図３において、静止画用として確保したい記録容量を入力するには、斜線で示すカーソル３０２を、静止画用の入力枠３０３に移動させて、数字を入力するかあるいは、複数の数字を表示させてその中から選択する。図３の例では、記録メディア１１２として５００ＭＢ（メガバイト）の容量のものを適用し、静止画用として１００ＭＢを入力した例を示している。その結果、ＣＰＵ１１０は、動画用として残り４００ＭＢを動画用の入力枠３０４に表示させる。
【００４０】
あるいは、枠３０４にカーソルを移して動画用として確保したい容量を入力するか選択すれば、ＣＰＵ１１０は残りを静止画用として枠３０３に表示させる。
【００４１】
各枠３０３，３０４に所望の数字が表示されている状態で、操作部１１６の例えば決定ボタンを押せば、ＣＰＵ１１０は、そのデータを管理データとしてメモリ１１７の不揮発性メモリに記憶させる（登録する）。
【００４２】
図４は、「記録可能容量比設定」２０３を選択した場合の表示部１０８の表示例であり、画面４０１に静止画用として確保したい比率（百分率）を入力するかあるいは表示された数字から選択するための枠４０２が表示され、また動画用として確保したい比率を入力するか選択するための枠４０３が表示されている。
【００４３】
斜線で示すカーソル４０４を、枠４０２，４０３のいずれかに移動して、数字を入力するか選択すれば、ＣＰＵ１１０は、百分率の残りを他方の記録用に割り当て、それを枠４０３、あるいは４０２に表示する。
【００４４】
各枠４０２，４０３に所望の数字が表示されている状態で、操作部１１６の例えば決定ボタンを押せば、ＣＰＵ１１０は、そのデータを管理データとしてメモリ１１７の不揮発性メモリに記憶させる（登録する）。
【００４５】
図５は、図２の「静止画記録枚数予約設定」２０４が選択された場合に、表示部１０８に表示される例を示すものであり、画面５０１には、静止画として記録したい枚数を入力するか表示される数字から選択するための枠５０２が表示されており、例えば１００枚と入力した場合、ＣＰＵ１１０が、その残りの容量を動画記録用に割り当て、動画撮影時間に換算して、画面５０１の下方に例えば３０分と表示５０３する。
【００４６】
この場合も、操作部１１６の決定ボタンを押せば、そのデータが管理データとしてメモリ１１７に記憶される（登録される）。
【００４７】
図６は、図２の「動画記録時間予約設定」２０５が選択された場合表示部１０８の表示例を示すもので、画面６０１には、記録したい動画の時間を入力するか表示される数字から選択するための枠６０２が表示されており、例えば３０分と入力した場合、ＣＰＵ１１０が、その残りの容量を静止画用に割り当て、枚数に換算して、画面６０１の下方に例えば１００枚と表示６０３する。
【００４８】
この場合も、操作部１１６の決定ボタンを押せば、そのデータが管理データとしてメモリ１１７に記憶される（登録される）。
【００４９】
なお、「静止画記録枚数予約設定」２０４と、「動画記録時間予約設定」２０５は、いずれか一方の項目を選択して管理データを記憶させれば、他方は、残りの記録容量に基づいて、ＣＰＵ１１０が自動的に割り振るものであり、ユーザが両方の管理データをそれぞれ登録させる必要はない。
【００５０】
さて、以上のように記録メディア１１２に対する容量管理条件を設定してから実際の撮影をするには、電子カメラ装置１００を例えば、静止画像撮影モードに設定する。その後、前述したように、ＣＣＤ撮像部１０２で撮影されている信号を、Ａ／Ｄ変換部１０３、ＣＣＤ処理部１０４、メモリコントローラ１０５及び画像処理部１０７を経て、表示部１０８で表示してモニタに供している状態において、操作部１１６のシャッターボタンを押すと、ＣＰＵ１１０は、ＣＣＤ撮像部１０３に蓄積された電荷を一旦クリアして、その後新たに蓄積された電荷を一画面分、順次、撮像信号として出力し、それが、Ａ／Ｄ変換部１０３、ＣＣＤ処理部１０４で処理を受けて、画像信号としてメモリコントローラ１０５を介してワークメモリ１０６に一旦蓄積させる。
【００５１】
次に、ＣＰＵ１１０は、メモリコントローラ１０５と画像圧縮／伸張処理部１０９を駆使して、ワークメモリ１０６に蓄積されている画像信号をＪＰＥＧ規格に基づいて圧縮し、圧縮した画像データをメモリコントローラ１０５を介して取り込んで、記録メディアＩ／Ｆ１１１を介して記録メディア１１２にＥｘｉｆファイルとして書き込む。
【００５２】
以上によって、１枚の静止画像の記録処理が完了する。その完了と同時に、ＣＰＵ１１０は、メモリ１１７に保存されている記録容量管理のデータを更新する。
【００５３】
例えば、記録可能容量が管理データとして保存されている場合、初期データ例えば１００ＭＢから静止画１枚分の１ＭＢを差し引いて、記録可能容量を９９ＭＢに変更してメモリ１１７に記録する。静止画の撮影を続けて行って、ユーザが撮影実績を確認したい場合には、操作部１１６の例えば表示ボタンを押せば、ＣＰＵ１１０は、図７に示すように、画面７０１に静止画用に確保された記録メディア１１２容量の内、それまでの静止画撮影で使用した記録容量７０２と、残りの容量を静止画枚数に換算した数値７０３を表示する。
【００５４】
さらに、静止画の撮影を続けて、容量を使い切る一歩手前の事態になった場合、あるいは完全に使い切った後で、ＣＰＵ１１０が、強制的に表示部１０８に警告を表示するように構成することも可能である。
【００５５】
また、記録可能容量比が管理データとしてメモリ１１７に保存されている場合には、１枚の静止画の撮影が終了した後で、ＣＰＵ１１０は、１枚分のデータ量を百分率に換算して、それを初期データから差し引いて、新たにメモリ１１７に記録する。例えば、１枚のデータ量分０．２％を初期値から引いて、管理データを更新する。
【００５６】
静止画の撮影を続けて行って、ユーザが撮影実績を確認したい場合には、操作部１１６の例えば表示ボタンを押せば、ＣＰＵ１１０は、図８に示すように、画面８０１に静止画用に確保された記録メディア１１２の容量比の内、それまでの静止画撮影で使用した記録容量比８０２と、残りの容量比を静止画枚数に換算した数値８０３を表示する。この場合にも、静止画用の容量を使い切る一歩手前、あるいは使い切った後で警告を表示するように構成することが可能である。
【００５７】
また、図２の「静止画記録予約枚数」あるいは「動画記録予約時間」が項目として選択されて管理データがメモリ１１７に登録されている場合には、静止画のための管理データとして記録可能な枚数が初期データとして登録されているため、１枚の静止画の撮影が終了した後で、ＣＰＵ１１０は、初期データから１を差し引いて、新たにメモリ１１７に記録する。
【００５８】
静止画の撮影を続けて行って、ユーザが撮影実績を確認したい場合には、操作部１１６の例えば表示ボタンを押せば、ＣＰＵ１１０は、図９に示すように、画面９０１に、それまでに撮影した静止画の枚数９０２と、残りの記録容量を静止画の枚数に換算した数値９０３を表示する。
【００５９】
この場合にも、静止画用の容量を使い切る一歩手前、あるいは使い切った後で警告を表示するように構成することが可能である。
【００６０】
記録した静止画像を再生するには、ユーザが操作部１１６の再生ボタンを操作すると、それによって、ＣＰＵ１１０は、記録メディアＩ／Ｆ１１１を駆使して、記録メディア１１２に記録されている静止画データのファイルの一覧情報を読み出して、これをメモリコントローラ１０５から画像表示処理部１０７に送って、表示用の信号に変換して、リストとして表示部１０８に表示させる。
【００６１】
このリストは、ＧＵＩ（Graphical User Interface）形式で構成されており、ユーザは、操作部１１６の例えば十字ボタンを操作して、リストから再生したいファイルを選択して、決定ボタンを操作する。
【００６２】
ＣＰＵ１１０は、それによって、記録メディアＩ／Ｆ１１１を駆使して、選択されたファイルを記録メディア１１２から読み出して取り込み、さらにメモリコントローラ１０５を介してワークメモリ１０６に記憶させる。
【００６３】
さらに、ＣＰＵ１１０は、メモリコントローラ１０５と画像圧縮／伸張処理部１０９を駆使して、ワークメモリ１０６に蓄積された画像データの伸張（デコード）処理を実行し、伸張した画像データをワークメモリに１０６に記憶させる。次いで、ＣＰＵ１１０は、ワークメモリ１０６から画像データを読み出して、メモリコントローラ１０５を介して画像表示処理部１０７に送り、表示のための処理を施して表示部１０８で表示させる。
【００６４】
なお、静止画撮影時には、実際には、高画質の静止画を記録するか標準画質の静止画を記録するかの選択を行うことが可能であり、その選択によって当然ながら、撮影枚数と管理データの更新容量の関係も変わってくるものであるがここでは、説明を解り易くするために静止画の画質の選択については触れないことにした。
【００６５】
次に動画像を記録する場合には、ユーザは操作部１１６のモード切換えボタンによって、動画モードに設定し、シャッターボタンを押す。  
ＣＰＵ１１０はそれを受けて、ＣＣＤ撮影部１０２で撮影され、Ａ／Ｄ変換部１０３、ＣＣＤ信号処理部１０４、メモリコントローラ１０５を介してワークメモリ１０６に蓄積されている画像信号に対して、メモリコントローラ１０５と画像圧縮／伸張処理部１０９によってＭＰＥＧ規格に基づく圧縮処理を施す。
【００６６】
さらに、このときＣＰＵ１１０は、マイク１１４でピックアップされ、音声入出力処理部でデジタル信号に変換された音声信号に対して、圧縮処理を施して、圧縮処理された動画像信号とマルチプレクスして所定のフォーマットに纏め、記録メディアＩ／Ｆ１１１に出力し、記録メディアＩ／Ｆを介して、記録メディア１１２にファイルとして記録する。
【００６７】
以上の処理は、次にシャッターボタンが操作されるまで継続的に実行され、シャッターボタンが操作されると、ＣＰＵ１１０は、記録メディア１１２への記録を停止させる。それによって、記録メディア１１２に動画像及び音声データのファイルが記録されることになる。おな、音声信号については、必ずしも動画像信号と一緒に記録しなくてはならないというものではなく、動画像のみで記録してもよく、あるいは音声信号のみをファイルとして記録するようにしてもよいものである。
【００６８】
以上のようにして動画の撮影が終了すると、ＣＰＵ１１０は、メモリ１１７に保存されている記録容量管理のデータを更新する。
【００６９】
例えば、記録可能容量が管理データとして保存されている場合、初期データから動画撮影時間をデータ量で換算した値を差し引いて、記録可能容量を変更してメモリ１１７に新たに記録する。動画の撮影を続けて行って、ユーザが撮影実績を確認したい場合には、操作部１１６の例えば表示ボタンを押せば、ＣＰＵ１１０は、図１０に示すように、画面１００１に動画用に確保された記録メディア１１２容量の内、それまでに動画撮影で使用した記録容量１００２と、残りの容量を動画撮影時間に換算した数値１００３を表示する。
【００７０】
さらに、動画の撮影を続けて、容量を使い切る一歩手前の事態になった場合、あるいは完全に使い切った後で、ＣＰＵ１１０が、強制的に表示部１０８に警告を表示するように構成することも可能である。
【００７１】
また、記録可能容量比が管理データとしてメモリ１１７に保存されている場合には、動画の撮影が終了した後で、ＣＰＵ１１０は、撮影した時間に対応するデータ量を百分率に換算して、それを初期データから差し引いて、新たにメモリ１１７に記録する。
【００７２】
動画の撮影を続けて行って、ユーザが撮影実績を確認したい場合には、操作部１１６の例えば表示ボタンを押せば、ＣＰＵ１１０は、図１１に示すように、画面１１０１に動画用に確保された記録メディア１１２の容量比の内、それまでの動画撮影で使用した記録容量比１１０２と、残りの容量比を動画撮影時間に換算した数値１１０３を表示する。この場合にも、静止画用の容量を使い切る一歩手前、あるいは使い切った後で警告を表示するように構成することが可能である。
【００７３】
また、図２の「静止画記録予約枚数」あるいは「動画記録予約時間」が項目として選択されて管理データがメモリ１１７に登録されている場合には、動画のための管理データとして記録可能な時間が初期データとして登録されているため、動画の撮影が終了した後で、ＣＰＵ１１０は、初期データから撮影した時間を差し引いて、新たにメモリ１１７に記録する。
【００７４】
動画の撮影を続けて行って、ユーザが撮影実績を確認したい場合には、操作部１１６の例えば表示ボタンを押せば、ＣＰＵ１１０は、図１２に示すように、画面１２０１に、それまでの動画の累積撮影時間１２０２と、残りの記録容量を動画撮影時間に枚数に換算した数値１２０３を表示する。
【００７５】
この場合にも、静止画用の容量を使い切る一歩手前、あるいは使い切った後で警告を表示するように構成することが可能である。  
なお、動画撮影においても、実際には、秒あたりのコマ数、すなわちフレームレートを切換えることが可能なカメラ装置も存在しており、その切換によって当然ながら、撮影時間と管理データの更新容量の関係も変わってくるものであるがここでは、説明を解り易くするために動画のフレームレートの切換については触れないようにした。
【００７６】
以上のようにして記録メディア１１２に記録された動画像信号を再生する場合には、ユーザは、再生ボタンを押す。それによって、ＣＰＵ１１０は、記録メディア１１２から、動画像ファイルの一覧を読み出して、これをメモリコントローラ１０５を介して画像表示部１０７に送り、ＧＵＩ形式の表示用の画像信号に変換して表示部１０８で表示させる。
【００７７】
ユーザは、操作部１１６の例えば十字ボタンを操作して、表示されたリストから所望のファイルを選択して、決定ボタンを操作する。それによって、ＣＰＵ１１０は、選択されたファイルを記録メディア１１２から読み出して、デマルチプレクス処理によって圧縮動画像データを分離し、メモリコントローラ１０５を介して順次ワークメモリ１０６に記憶させつつ、画像圧縮／伸張処理部１０９を駆使して、それを伸張して非圧縮の画像信号として順次ワークメモリ１０６に記憶させていく。同時に、ワークメモリ１０６から非圧縮の動画像信号を順次読み出して、メモリコントローラ１０５を介して画像表示処理部１０７に送り、表示用の映像信号に変換して、表示部１０８で動画像として表示させる。
【００７８】
同時にＣＰＵ１１０は、記録メディア１１２から、読み出されたファイルのデータからデマルチプレクス処理によって圧縮音声データを抽出し、これを伸張して音声入出力処理部１１３に送り、でアナログ信号に変換して、スピーカ１１４から音声として出力する。
【００７９】
以上の処理によって動画像の再生が実行される。  
以上説明したように本発明の電子カメラ装置によれば、予め記録メディア１１２を、容量、あるいは容量比、あるいは静止画枚数、あるいは動画記録時間で、静止画記録領域と動画記録領域に分けて、撮影した画像を記録するようにしたので、撮影した静止画及び動画を確実に記録することができるようになるものである。
【００８０】
図１３、図１４を用いて、以上説明した、管理データをメモリ１１７に記憶させるための処理、及び実際に撮影を実行した際の管理データの処理について、改めて説明する。
【００８１】
図１３は、管理データを登録する際の処理手順の一実施の形態を説明するためのフローチャートである。  
図１３において、ステップＳ１３０１で開始され、ステップＳ１３０２で、図２に示す記録容量管理設定メニューの表示要求があったか否かの判定が行われ、要求があった場合には、ステップＳ１３０２でメニューを表示する。
【００８２】
次いで、ステップＳ１３０４で、記録可能容量設定項目が選択されたか否かの判定がなされ、記録可能容量設定項目が選択された場合には、ステップＳ１３０５で記録可能容量を入力する画面を表示し、ステップＳ１３０６で静止画または動画いずれかの記録可能容量の入力があったか否かの判定がなされる。
【００８３】
記録可能容量の入力があったと判定された場合には、ステップＳ１３０７で、入力された容量値に基づき、他方の画像用記録可能容量値を算出して、両画像用それぞれの記録可能容量を表示する。
【００８４】
次いで、ステップＳ１３０８で操作部１１６の決定ボタンが押されたか否かが判定され、決定ボタンが押された場合には、ステップＳ１３０９で、ステップＳ１３０７において表示した静止画用記録容量および動画用記録容量を管理データとしてメモリ１１７に記憶させて、ステップＳ１３１０で処理を終了する。
【００８５】
ステップＳ１３０４で、記録可能容量設定項目が選択されなかったと判定されたら、ステップＳ１３１１で、記録可能容量比設定項目が選択されたか否かの判定がなされ、記録可能容量比設定項目が選択されたと判定されたら、ステップＳ１３１２で、記録可能容量比を入力する画面を表示し、ステップＳ１３１３で静止画または動画いずれかの記録可能容量比の入力があったか否かの判定がなされる。
【００８６】
記録可能容量比の入力があったと判定された場合には、ステップＳ１３１４で、入力された容量比に基づき、他方の画像用記録可能容量比を算出して、両画像用それぞれの記録可能容量比を表示する。
【００８７】
次いで、ステップＳ１３１５で操作部１１６の決定ボタンが押されたか否かが判定され、決定ボタンが押された場合には、ステップＳ１３０９で、ステップＳ１３１４において表示した静止画用記録容量比及び動画用記録容量比を管理データとしてメモリ１１７に記憶させて、ステップＳ１３１０で処理を終了する。
【００８８】
ステップＳ１３１１で、記録可能容量比設定項目が選択されなかったと判定されたら、ステップＳ１３１６で、静止画記録枚数予約設定項目が選択されたか否かの判定がなされ、静止画記録枚数予約設定項目が選択されたと判定されたら、ステップＳ１３１７で、静止画の記録したい枚数を入力する画面を表示し、ステップＳ１３１８で静止画の記録枚数の入力があったか否かの判定がなされる。
【００８９】
静止画の記録枚数の入力があったと判定された場合には、ステップＳ１３１９で、入力された値に基づき、動画の記録可能時間を算出して、静止画記録予約枚数と共に表示する。
【００９０】
次いで、ステップＳ１３２０で操作部１１６の決定ボタンが押されたか否かが判定され、決定ボタンが押された場合には、ステップＳ１３０９で、ステップＳ１３１９において表示した静止画用記録枚数及び動画記録時間を管理データとしてメモリ１１７に記憶させて、ステップＳ１３１０で処理を終了する。
【００９１】
ステップＳ１３１６で、静止画記録枚数予約設定項目が選択されなかったと判定されたら、ステップＳ１３２１で、動画記録時間予約設定項目が選択されたか否かの判定がなされ、動画記録時間予約設定項目が選択されたと判定されたら、ステップＳ１３２２で、動画の記録したい時間を入力する画面を表示し、ステップＳ１３２３で動画の記録時間の入力があったか否かの判定がなされる。
【００９２】
動画の記録時間の入力があったと判定された場合には、ステップＳ１３２４で、入力された値に基づき、静止画の記録可能枚数を算出して、動画記録予約時間と共に表示する。
【００９３】
次いで、ステップＳ１３２５で操作部１１６の決定ボタンが押されたか否かが判定され、決定ボタンが押された場合には、ステップＳ１３０９で、ステップＳ１３２４において表示した動画記録時間及び静止画記録枚数を管理データとしてメモリ１１７に記憶させて、ステップＳ１３１０で処理を終了する。
【００９４】
なお、ステップＳ１２２１で、動画記録時間予約設定項目が選択されなかったと判定されたら、ステップＳ１３０４に戻る。  
図１４は、実際に撮影を実行した際の、管理データの処理手順の一実施の形態について改めて説明するためのフローチャートである。  
図１４において、ステップＳ１４０１で開始され、ステップＳ１４０２で撮影モードが設定されたか否かの判定がなされ、撮影モードが設定されたと判定されたら、ステップＳ１４０３で、静止画撮影モードか否かの判定がなされる。
【００９５】
静止画撮影モードであると判定されたら、ステップＳ１３０４で、記録メディア１１２に静止画撮影可能な容量があるか否かの判定がなされ、撮影可能な容量が存在する場合には、ステップＳ１４０５で静止画の撮影を実行する。
【００９６】
次いで、ステップＳ１４０６で撮影した静止画の解像度と枚数に基づく、新規記録容量データを一旦記憶する。次いで、ステップＳ１４０７で新規記録容量データに基づき、メモリ１１７に記憶されている管理データを更新する。
【００９７】
次いで、ステップＳ１４０８で記録可能容量が残ってるか否かの判定図なされ、記録可能容量が残っている場合には、ステップＳ１４０９で、記録実績表示要求があったか否かの判定がなされ、要求があった場合には、ステップＳ１４１０で、更新された管理データを静止画の記録可能枚数と共に表示する。
【００９８】
次いで、ステップＳ１４１１で撮影モードが解除されたか否かの判定がなされ、解除されていない場合には、ステップＳ１４０５に戻り、解除されたと判定されたらステップＳ１４１２で処理を終了する。
【００９９】
また、ステップＳ１４０４及びステップＳ１４０８で、静止画の記録に必要な容量がないと判定された場合には、ステップＳ１４１３で、容量不足で静止画の撮影が不可能である旨を表示部１０８に行って処理を終了する。さらに、ステップＳ１４０９で記録実績表示要求がないと判定された場合には、ステップＳ１４１０をスキップしてステップＳ１４１１に移る。
【０１００】
さらにステップＳ１４０３で、静止画撮影モードでないと判定された場合には、ステップＳ１４１４で、動画用の記録可能容量が残ってるか否かの判定がなされ、記録可能容量が残っている場合には、ステップＳ１４１５で静止画の撮影を実行する。
【０１０１】
次いで、ステップＳ１４１６で撮影した動画のフレームレートと撮影時間に基づく、新規記録容量データを一旦記憶する。次いで、ステップＳ１４１７で新規記録容量データに基づき、メモリ１１７に記憶されている管理データを更新する。
【０１０２】
次いで、ステップＳ１４１８で記録可能容量が残ってるか否かの判定図なされ、記録可能容量が残っている場合には、ステップＳ１４１９で、記録実績表示要求があったか否かの判定がなされ、要求があった場合には、ステップＳ１４２０で、更新された管理データを動画の記録可能時間と共に表示する。
【０１０３】
次いで、ステップＳ１４２１で撮影モードが解除されたか否かの判定がなされ、解除されていない場合には、ステップＳ１４１５に戻り、解除されたと判定されたらステップＳ１４１２で処理を終了する。
【０１０４】
また、ステップＳ１４１４及びステップＳ１４１８で、静止画の記録に必要な容量がないと判定された場合には、ステップＳ１４２で、容量不足で記録が不可能である旨を表示部１０８で行って処理を終了する。さらに、ステップＳ１４１９で記録実績表示要求がないと判定された場合には、ステップＳ１４２０をスキップしてステップＳ１４２１に移る。
【０１０５】
以上説明したように、本発明の電子カメラ装置によれば、予め記録メディア１１２を、容量、あるいは容量比、あるいは静止画枚数、あるいは動画記録時間で、静止画記録領域と動画記録領域に分けて、撮影した画像を記録するようにしたので、撮影した静止画及び動画を確実に記録することができるようになるものである。
【図面の簡単な説明】
【０１０６】
【図１】本発明に係る電子カメラ装置の一実施の形態を示す回路ブロック図。
【図２】図１に示す装置の動作を説明するための図。
【図３】図１に示す装置の動作を説明するための図。
【図４】図１に示す装置の動作を説明するための図。
【図５】図１に示す装置の動作を説明するための図。
【図６】図１に示す装置の動作を説明するための図。
【図７】図１に示す装置の動作を説明するための図。
【図８】図１に示す装置の動作を説明するための図。
【図９】図１に示す装置の動作を説明するための図。
【図１０】図１に示す装置の動作を説明するための図。
【図１１】図１に示す装置の動作を説明するための図。
【図１２】図１に示す装置の動作を説明するための図。
【図１３】図１に示す装置の動作を説明するためのフローチャート。
【図１４】図１に示す装置の動作を説明するためのフローチャート。
【符号の説明】
【０１０７】
１００…電子カメラ装置
１０１…光学系
１０２…ＣＣＤ撮像部
１０３…Ａ／Ｄ変換部
１０４…ＣＣＤ信号処理部
１０５…メモリコントローラ
１０６…ワークメモリ
１０７…画像処理部
１０８… 表示部
１０９…画像圧縮／伸張処理部
１１０…ＣＰＵ
１１１…記録メディアＩ／Ｆ
１１２…記録メディア
１１３…音声入出力処理部
１１４…マイク
１１５…スピーカ
１１６…操作部
１１７…メモリ
【図１】
2005318261.tif 000003
【図２】
2005318261.tif 000004
【図３】
2005318261.tif 000005
【図４】
2005318261.tif 000006
【図５】
2005318261.tif 000007
【図６】
2005318261.tif 000008
【図７】
2005318261.tif 000009
【図８】
2005318261.tif 000010
【図９】
2005318261.tif 000011
【図１０】
2005318261.tif 000012
【図１１】
2005318261.tif 000013
【図１２】
2005318261.tif 000014
【図１３】
2005318261.tif 000015
【図１４】
2005318261.tif 000016